(57)【要約】      （修正有）【課題】肌面の汚れを十分に除去し得る美容装置を提供する。【解決手段】超音波振動する振動板で肌面を擦ることにより、肌面の汚れを除去する美容装置に関するものである。グリップケース１に支持された弾性振動板２と、グリップケース１内に収容され、弾性振動板２を超音波振動させる超音波振動子３とを備えた美容装置において、グリップケース１内に、弾性振動板２を加熱する加熱手段６と、温度検出手段の検出信号に基づいて前記加熱手段の動作を制御する制御部４と、を備えた。【選択図】図１
2012065891.tif 000002
【特許請求の範囲】
【請求項１】
グリップケースに支持された弾性振動板と、
前記グリップケース内に収容され、前記弾性振動板を超音波振動させる超音波振動子と
を備えた美容装置において、
前記グリップケース内に、前記弾性振動板を加熱する加熱手段を備えたことを特徴とする美容装置。
【請求項２】
請求項１に記載の美容装置において、
前記グリップケース内には、
前記弾性振動板の温度を検出する温度検出手段と、
前記温度検出手段の検出信号に基づいて前記加熱手段の動作を制御する制御部と
を備えたことを特徴とする美容装置。
【請求項３】
請求項２に記載の美容装置において、
前記温度検出手段は、
前記弾性振動板の先端部の温度を検出する第一の温度検出手段と、
前記超音波振動子の近傍の弾性振動板の温度を検出する第二の温度検出手段と
を備えたことを特徴とする美容装置。
【請求項４】
請求項１乃至３のいずれか１項に記載の美容装置において、
前記加熱手段と前記超音波振動子との間の前記弾性振動板に、前記加熱手段から前記超音波振動子への熱伝導を抑制する抑制手段を備えたことを特徴とする美容装置。
【請求項５】
請求項４に記載の美容装置において、
前記抑制手段は、前記弾性振動板の面積を縮小する面積縮小部を備えたことを特徴とする美容装置。
【請求項６】
請求項２乃至５のいずれか１項に記載の美容装置において、
前記制御部と前記弾性振動板との間に断熱部を介在させたことを特徴とする美容装置。
【発明の詳細な説明】
【技術分野】
【０００１】
この発明は、超音波振動する振動板で肌面を擦ることにより、肌面の汚れを除去する美容装置に関するものである。
【背景技術】
【０００２】
従来、超音波で振動する振動板を肌面に押し当てて、肌面に付着している角質、皮脂や化粧残りを除去するようにした美容装置が提案されている。このような美容装置は、特許文献１に開示されるように、超音波振動子の振動により弾性振動板が厚さ方向に振動し、その振動に基づいて肌面の汚れを除去するようになっている。
【先行技術文献】
【特許文献】
【０００３】
【特許文献１】特開平０６−３２８０４２
【発明の概要】
【発明が解決しようとする課題】
【０００４】
上記のような美容装置では、超音波振動する弾性振動板を肌面に押し当てる構成であるため、肌面に化粧残りや角質が強固に付着している場合には、肌面の汚れを十分に除去することができないという問題点がある。
【０００５】
この発明の目的は、肌面の汚れを十分に除去し得る美容装置を提供することにある。
【課題を解決するための手段】
【０００６】
上記課題を解決するために、本発明の美容装置は、グリップケースに支持された弾性振動板と、グリップケース内に収容され、弾性振動板を超音波振動させる超音波振動子とを備えた美容装置であって、グリップケース内に、弾性振動板を加熱する加熱手段が備えられたことを特徴とする。
【０００７】
また、上記構成において、グリップケース内には、弾性振動板の温度を検出する温度検出手段と、温度検出手段の検出信号に基づいて加熱手段の動作を制御する制御部とを備えることが好ましい。
【０００８】
また、上記構成において、温度検出手段は、弾性振動板の先端部の温度を検出する第一の温度検出手段と、超音波振動子の近傍の弾性振動板の温度を検出する第二の温度検出手段とを備えることが好ましい。
【０００９】
また、上記構成において、加熱手段と超音波振動子との間の弾性振動板に、加熱手段から超音波振動子への熱伝導を抑制する熱伝導抑制手段を備えることが好ましい。
また、上記構成において、抑制手段は、弾性振動板の面積を縮小する面積縮小部を備えることが好ましい。
【００１０】
また、上記構成において、制御部と弾性振動板との間に断熱部を介在させることが好ましい。
【発明の効果】
【００１１】
本発明によれば、肌面の汚れを十分に除去し得る美容装置を提供することができる。
【図面の簡単な説明】
【００１２】
【図１】第一の実施形態を示す平面図である。
【図２】第一の実施形態を示す縦断面図である。
【図３】第一の実施形態の電気的構成を示すブロック図である。
【図４】第一の実施形態の制御部の動作を示すフローチャートである。
【図５】第二の実施形態を示す平面図である。
【図６】第二の実施形態の電気的構成を示すブロック図である。
【図７】第二の実施形態の制御部の動作を示すフローチャートである。
【図８】第三の実施形態を示す平面図である。
【図９】第三の実施形態の別例を示す平面図である。
【図１０】第四の実施形態を示す平面図である。
【図１１】第四の実施形態の制御部の動作を示すフローチャートである。
【図１２】第五の実施形態を示す平面図である。
【発明を実施するための形態】
【００１３】
（第一の実施形態）
以下、この発明を具体化した第一の実施形態を図面に従って説明する。図１及び図２に示す美容装置は、筒状に形成されたグリップケース１にステンレス等の金属で板状に形成された弾性振動板２が支持され、その弾性振動板２の先端部はグリップケース１の先端から突出されている。
【００１４】
前記グリップケース１内の中央部には、前記弾性振動板２の基端部に接する超音波振動子３が配設される。また、グリップケース１の基端部には前記超音波振動子３の動作を制御する制御部４と、その制御部４に電源を供給する電源部５が配設されている。電源部５は、充電式バッテリー、乾電池あるいは商用電源の供給に基づいて所要の電圧を生成する電源回路のいずれでもよい。
【００１５】
そして、制御部４の制御に基づいて超音波振動子３が振動して、弾性振動板２が厚み方向に１０kHz〜１００kHzの振動周波数で振動するようになっている。このとき、弾性振動板２は先端に向かって振動振幅が増大するようになっている。
【００１６】
前記グリップケース１内において、前記超音波振動子３とグリップケース１の先端との間には前記弾性振動板２を加熱するヒーター６が配設されている。このヒーター６は、加熱温度を一定範囲に維持するコントローラー備え、前記制御部４により前記超音波振動子３の動作と並行して動作するように制御される。
【００１７】
図３は、この実施形態の美容装置の電気的構成を示す。操作部７は前記グリップケース１の表面に設けられ、その操作部７の操作に基づく操作信号が前記制御部４に出力される。
【００１８】
制御部４は、操作部７からの操作信号に基づいて発振回路８を作動させる。発振回路８は前記超音波振動子３に駆動信号を出力し、その駆動信号に基づいて超音波振動子３が弾性振動板２を振動させる。また、制御部４は操作部７からの操作信号に基づいてヒーター６を作動させて前記弾性振動板２を加熱する。
【００１９】
次に、この実施形態の美容装置の制御部４の動作を図４に従って説明する。操作部７の電源スイッチがオンされると、電源部５から制御部４に電源が供給される（ステップ１）。そして、超音波振動子３が作動して弾性振動板２が振動するとともに（ステップ２）、ヒーター６が作動して弾性振動板２が加熱される（ステップ３）。
【００２０】
この状態で、弾性振動板２の先端で鼻や頬等の肌面を擦るように施術すると、肌面に付着している角質や化粧汚れあるいは毛穴の角栓が除去される。
ステップ２及びステップ３の動作は、電源スイッチがオフされるまで継続される。そして、電源スイッチがオフされると、制御部４の動作が停止して、超音波振動子３及びヒーター６の動作が停止する（ステップ４，５）。
【００２１】
上記のように構成された美容装置では、次に示す作用効果を得ることができる。
（１）超音波振動する弾性振動板２で肌面を擦ることにより、肌面の汚れを落とすことができる。
（２）加熱した弾性振動板２で肌面を施術することができるので、肌に水等を塗布して施術する場合に、肌面の温度低下を防止して角質や化粧汚れあるいは毛穴の角栓を軟化させることができる。従って、肌面の汚れを充分に除去することができる。
（３）加熱した弾性振動板２で肌面の汚れを軟化させることができるので、クレンジング剤等を使用しなくても、肌面の汚れを充分に除去することができる。
（第二の実施形態）
図５〜図７は第二の実施形態を示す。この実施形態は、前記第一の実施形態の美容装置に弾性振動板の過熱を防止するサーミスタを備えたものである。第一の実施形態と同一構成部分は、同一符号を付して詳細な説明を省略する。
【００２２】
図５に示すように、前記グリップケース１内において、同グリップケース１の先端部近傍には、第一のサーミスタ１１が配設されている。この第一のサーミスタ１１は、弾性振動板２の温度があらかじめ設定された温度以上となったとき、前記制御部４に検出信号を出力する。
【００２３】
前記第一のサーミスタ１１は、図６に示すように、弾性振動板２の温度を検出した検出信号を制御部４に出力する。上記以外の構成は、第一の実施形態と同様である。
図７は、この実施形態の制御部４の動作を示す。操作部７の電源スイッチがオンされると、電源部５から制御部４に電源が供給される（ステップ１１）。そして、超音波振動子３が作動して弾性振動板２が振動するとともに（ステップ１２）、ヒーター６が作動して弾性振動板２が加熱される（ステップ１３）。
【００２４】
この状態で、弾性振動板２の先端で鼻や頬等の肌面を擦るように施術すると、肌面に付着している角質や化粧汚れあるいは毛穴の角栓が除去される。
ヒーター６が作動すると、制御部４は第一のサーミスタ１１からの検出信号の有無を判定して、弾性振動板２の温度Ｔａがあらかじめ設定されたしきい値温度Ｔ１より高いか否かを判定する（ステップ１４，１５）。
【００２５】
そして、弾性振動板２の温度Ｔがしきい値温度Ｔ１以下であれば、ヒーター６の作動が維持されて、ステップ１３〜１５の動作が繰り返される。
ステップ１５において、弾性振動板２の温度Ｔａがしきい値温度Ｔ１を超えると、ステップ１６に移行してヒーター６の動作が停止される。次いで、電源スイッチがオフされていなければステップ１４に移行して弾性振動板２の温度Ｔａを検出し、弾性振動板２の温度Ｔａがしきい値温度Ｔ１以下に低下すれば、ステップ１３〜１５が繰り返されて、ヒーター６の作動が維持される。
【００２６】
ステップ１６でヒーター６の動作が停止された後、ステップ１７で電源スイッチがオフされると、制御部４の動作が停止して、超音波振動子３の動作が停止する（ステップ１８）。
【００２７】
この実施形態の美容装置では、第一の実施形態で得られた作用効果に加えて次に示す作用効果を得ることができる。
（１）第一のサーミスタ１１の動作により、弾性振動板２の過熱を防止することができる。
（第三の実施形態）
図８及び図９は、第三の実施形態を示す。この実施形態は、前記第二の実施形態の美容装置の弾性振動板の先端部をヒーターで効率的に加熱するようにしたものである。第二の実施形態と同一構成部分は、同一符号を付して詳細な説明を省略する。
【００２８】
図８に示すように、超音波振動子３とヒーター６との間において、弾性振動板２には三角形状の切り欠き１２が幅方向の両側からそれぞれ形成されて、面積縮小部が形成されている。この切り欠き１２の深さは、弾性振動板２の全幅の１／４程度であり、切り欠き１２の頂部の間隔が、弾性振動板２の全幅の１／４以上となるように形成されている。上記以外の構成は第二の実施形態と同様である。
【００２９】
また、図９に示すように、前記切り欠き１２に代えて、超音波振動子３とヒーター６との間において、弾性振動板２の幅方向中央部に透孔１３を面積縮小部として設けてもよい。
【００３０】
この実施形態の美容装置では、第一及び第二の実施形態で得られた作用効果に加えて次に示す作用効果を得ることができる。
（１）超音波振動子３とヒーター６との間で弾性振動板２の面積が小さくなるため、ヒーター６による加熱温度が超音波振動子３には伝わり難くなるとともに、ヒーター６で弾性振動板２の先端部を効率よく加熱することができる。
（２）超音波振動子３には加熱温度が伝わり難いので、無用な加熱による超音波振動子３の故障を防止することができる。
（第四の実施形態）
図１０及び図１１は、第四の実施形態を示す。この実施形態は、前記第三の実施形態の構成に加えてヒーター６による超音波振動子３の加熱温度を検出するサーミスタを備えたものである。第三の実施形態と同一構成部分は、同一符号を付して詳細な説明を省略する。
【００３１】
図１０に示すように、この実施形態では前記第二及び第三の実施形態でグリップケース１の先端近傍に配設された第一のサーミスタ１１に加えて、超音波振動子３の近傍において弾性振動板２の温度を検出する第二のサーミスタ１４が配設されている。
【００３２】
第二のサーミスタ１４は、超音波振動子３とヒーター６の間において、超音波振動子３の近傍の弾性振動板２の温度Ｔｂがあらかじめ設定されたしきい値温度Ｔ２を超えたとき、制御部４に検出信号を出力する。このしきい値温度Ｔ２は、超音波振動子３を故障させない温度に設定されている。上記以外の構成は、第三の実施形態と同様である。
【００３３】
図１１は、この実施形態の制御部４の動作を示す。操作部７の電源スイッチがオンされると、電源部５から制御部４に電源が供給される（ステップ２１）。そして、超音波振動子３が作動して弾性振動板２が振動するとともに（ステップ２２）、ヒーター６が作動して弾性振動板２が加熱される（ステップ２３）。
【００３４】
この状態で、弾性振動板２の先端で鼻や頬等の肌面を擦るように施術すると、肌面に付着している角質や化粧汚れあるいは毛穴の角栓が除去される。
ヒーター６が作動すると、制御部４は第一及び第二のサーミスタ１１，１４からの検出信号の有無を判定して、弾性振動板２の先端部の温度Ｔａがあらかじめ設定されたしきい値温度Ｔ１を超えるか否かと、弾性振動板２の超音波振動子３の近傍の温度Ｔｂがしきい値温度Ｔ２を超えるか否かを判定する（ステップ２４，２５）。
【００３５】
そして、弾性振動板２の温度Ｔａがしきい値温度Ｔ１以下であると同時に、弾性振動板２の温度Ｔｂがしきい値温度Ｔ２以下であると（ステップ２６，２７）、ヒーター６の作動が維持されて、ステップ２３〜２７の動作が繰り返される。
【００３６】
ステップ２６において、弾性振動板２の温度Ｔａがしきい値温度Ｔ１を超えていると、ステップ２８に移行してヒーター６の動作が停止される。次いで、電源スイッチがオフされていなければ（ステップ２９）、ステップ２４に移行する。
【００３７】
ステップ２７において、弾性振動板２の温度Ｔｂがしきい値温度Ｔ２を超えていると、ステップ２８に移行してヒーター６の動作が停止される。次いで、電源スイッチがオフされていなければ（ステップ２９）、ステップ２４に移行する。
【００３８】
ステップ２８でヒーター６の動作が停止された後、ステップ２９で電源スイッチがオフされると、制御部４の動作が停止して、超音波振動子３の動作が停止する（ステップ３０）。
【００３９】
この実施形態の美容装置では、第一〜第三の実施形態で得られた作用効果に加えて次に示す作用効果を得ることができる。
（１）超音波振動子３の近傍の弾性振動板２の温度Ｔｂをサーミスタ１４で検出して、ヒーター６の動作を制御することができるので、超音波振動子３の無用な過熱による故障を未然に防止することができる。
（２）弾性振動板２の先端部と超音波振動子３の近傍部分の温度Ｔａ，Ｔｂを、それぞれ独立したサーミスタ１１，１４のしきい値温度Ｔ１，Ｔ２と比較し、その比較結果に基づいてヒーター６の動作を制御することができる。従って、弾性振動板２の先端部と超音波振動子３の近傍部分の温度Ｔａ，Ｔｂを、それぞれ最適な温度に制御することができる。
（第五の実施形態）
図１２は、第五の実施形態を示す。この実施形態は、前記第四の実施形態の構成に加えて、ヒーター６による制御部４の無用な加熱を防止する構成を備えたものである。第四の実施形態と同一構成部分は、同一符号を付して詳細な説明を省略する。
【００４０】
図１２に示すように、前記グリップケース１内において、前記弾性振動板２と制御部４とは断熱部１５で仕切られている。断熱部１５は、発泡プラスチック、グラスウール等の断熱材が使用される。また、断熱材以外にも、空気圧を減圧した減圧部を形成してもよい。
【００４１】
このような構成により、ヒーター６による制御部４の無用な加熱を防止することができる。従って、制御部４の過熱による故障を未然に防止することができる。
上記実施形態は、以下の態様で実施してもよい。
・前記ヒーター６に代えて、電磁誘導加熱器、遠赤外線等の光照射器あるいは振動によって発熱する機能を備えた超音波振動子を使用してもよい。
・第四及び第五の実施形態において、切り欠き１２を設けないようにしてもよい。
【符号の説明】
【００４２】
１…グリップケース、２…弾性振動板、３…超音波振動子、６…加熱手段（ヒーター）、１１…第一の温度検出手段（第一のサーミスタ）、１２…熱伝導抑制手段（切り欠き）、１３…熱伝導抑制手段（透孔）、１４…第二の温度検出手段（第二のサーミスタ）、１５…断熱部。
【図１】
2012065891.tif 000003
【図２】
2012065891.tif 000004
【図３】
2012065891.tif 000005
【図４】
2012065891.tif 000006
【図５】
2012065891.tif 000007
【図６】
2012065891.tif 000008
【図７】
2012065891.tif 000009
【図８】
2012065891.tif 000010
【図９】
2012065891.tif 000011
【図１０】
2012065891.tif 000012
【図１１】
2012065891.tif 000013
【図１２】
2012065891.tif 000014